(57)【要約】【課題】室内空間を狭めることなく、室内を有効に利用できるようにするとともに施工が容易で、美観を損なうことがない。【解決手段】分岐管継手体３４は、水平方向に開口した第１の接続口３７、下方向に開口した第２の接続口３８および上方向に開口した第３の接続口４２とを有する。第１の接続口３７に単一の排水器具２２に連通する排水横枝管２５を接続する。第２の接続口３８に排水縦管２６を接続する。第３の接続口４２に常時は閉塞し排水縦管２６内の負圧の発生により開口する吸気装置５１に連通した通気管４９を接続する。分岐管継手体３４の第３の接続口４２の口径は第１および第２の接続口３７，３８の口径より小径とし、第３の接続口４２は第２の接続口３８に対して斜め上方に向けて開口する。第３の接続口４２は水平方向に回動自在とする。【選択図】        図１
2004324239.tif 000002
【特許請求の範囲】
【請求項１】
単一の排水器具に連通される排水横枝管を接続する第１の接続口を水平方向に開口し、かつ排水縦管を接続する第２の接続口を下方向に開口するとともに、常時は閉塞し前記排水縦管内の負圧の発生により開口する吸気装置に連通した通気管を接続する第３の接続口を上方向に開口した分岐管継手体を備え、
前記第３の接続口の口径は前記第１および第２の接続口の口径より小径とし、
この第３の接続口は前記第２の接続口に対して斜め上方に向けて開口するとともに水平方向に回動自在とした
ことを特徴とする排水路の吸気用分岐管継手。
【請求項２】
分岐管継手体は、側面および上下面に接続口を形成しこの側面に形成した接続口を第１の接続口とするとともに下面に形成した接続口を第２の接続口とした分岐管継手本体と、この分岐管継手本体の上面に形成した接続口に接続され第３の接続口を形成した通気管接続口形成体と
にて構成したことを特徴とする請求項１記載の排水路の吸気用分岐管継手。
【請求項３】
第３の接続口は、第２の接続口に対して偏心位置に形成し、この第３の接続口には、吸気装置に接続される蛇腹管にて形成した通気管を気密に接続可能とした
ことを特徴とする請求項１または２記載の排水路の吸気用分岐管継手。
【請求項４】
排水縦管を接続する第２の接続口の呼び径は７５ｍｍとし、第３の接続口の呼び径を４０ｍｍないし２０ｍｍとした
ことを特徴とする請求項１ないし３のいずれかの一つに記載の排水路の吸気用分岐管継手。
【請求項５】
第１の接続口を水平方向に開口し、かつ第２の接続口を下方向に開口するとともに、第３の接続口を上方向に開口した分岐管継手体を備え、
前記第３の接続口の口径は前記第１および第２の接続口の口径より小径とし、
この第３の接続口は前記第２の接続口に対して斜め上方に向けて開口するとともに水平方向に回動自在とし、
前記第１の接続口に単一の排水器具に連通される排水横枝管を接続し、かつ第２の接続口に排水縦管を接続するとともに、第３の接続口に常時は閉塞し排水縦管内の負圧の発生により開口する吸気装置を蛇腹管にて形成した通気管にて気密に接続し、
前記第３の接続口と前記吸気装置とを気密に接続する蛇腹管にて形成した通気管を建造物の壁内に配設した
ことを特徴とする排水路の吸気装置。
【請求項６】
建造物の壁内に吸気装置を内部に配設する筐体を設け、
この筐体の一側面には前記壁の内壁面に形成した吸気開口から吸気する通気部を開口するとともに下部には通気管の蛇腹管を接続する通気口を形成し、
前記吸気装置は、排水縦管内の負圧により開口して前記通気部と通気管を接続する通気口とを連通遮断させる吸気弁体を設けた
ことを特徴とする請求項５記載の排水路の吸気装置。
【発明の詳細な説明】
【０００１】
【発明の属する技術分野】
本発明は、排水路の吸気用分岐管継手および排水路の吸気装置に係り、例えば、建造物の階上の排水器具からの排水を排水縦管にて階下に流出させ、この排水を建物外の排水路に流出させる排水路装置において、排水縦管内に急激な排水で生じる負圧によって排水器具のトラップ封水が破壊されることを防止するために、排水縦管内に負圧が生じたとき、排水縦管に吸気するようにしたものである。
【０００２】
【従来の技術】
従来、一般に、図６に示すように、建造物１の階上の排水器具２からの排水を排水縦管３にて階下に流出させる排水路装置は、吸気用分岐管継手体４の側方に開口した接続口５に排水器具２に連通する排水横枝管６を接続し、この吸気用分岐管継手体４の下方に開口した接続口７に排水縦管３を接続し、さらに、前記吸気用分岐管継手体４の上方に開口した接続口８に常時は閉塞し前記排水縦管内の負圧の発生により開口する吸気装置９に連通する通気管１０を接続する構造が採られていた。
【０００３】
この従来の排水路の吸気装置では、建造物１の内壁面１１を室内側に膨出させて外壁面１２と内壁面１１との間にパイプスペースまたはパイプシャフトといわれる配管空間１３を形成し、この配管空間１３に縦方向の配管を集中配管するようにしている。しかしながら、図６に示すように、建造物１の外壁面１２と内壁面１１との間に配管空間１３を形成すると壁厚が大きくなり、室内が狭められる問題があった。
【０００４】
そこで、図７または図８に示すように、例えば、建造物１が２階建ての場合、二階には階上からの配管がないので、二階の外壁面１２と内壁面１１との間には配管空間１３を形成する必要がなく、排水縦管３に接続する通気管１０の配管に必要な部分に、部分的に室内に膨出する図７に示す設備壁１４または図８に示す設備壁１５を設ける構造が採られていた（例えば、特許文献１参照。）。
【０００５】
また、前記吸気装置９は建造物の天井裏などに配設する構造が採られていた（例えば、特許文献１参照。）。
【０００６】
【特許文献１】
特開２００２−３０９６３９号公報（第４頁−第６頁、図１）
【０００７】
【発明が解決しようとする課題】
しかしながら、図６に示す排水路の吸気装置では、建造物１の外壁面１２と内壁面１１との間に配管空間１３を形成すると壁厚が大きくなり、室内が狭められる問題があった。
【０００８】
また、特許文献１および図７，８に示す排水路の吸気装置では、図６に示す排水路の吸気装置に比して、室内の上部は拡がるので、圧迫感は少なくなるが、内壁の部分的な突出部は邪魔になり、美観も損なう問題があった。
【０００９】
また、建造物の外壁面と内壁面との間に通気管の配管空間、或いは、設備壁を形成しなければ、室内空間は拡がり、室内を有効に利用できるが、外壁面と内壁面との間の梁の周囲の空間が狭く、この空間に通気管を配設する場合、天井裏などに設けた吸気装置にまで通気管を配設することは困難であり、また、外壁面と内壁面との間の狭い空間に排水横枝管、排水縦管および通気管を接続することは作業性が悪い問題があった。
【００１０】
本発明は、上記問題点に鑑みなされたもので、室内空間を狭めることなく、室内を広く有効に利用できるようにするとともに施工が容易で、美観を損なうことのない排水路の吸気用分岐管継手および排水路の吸気装置を提供するものである。
【００１１】
【課題を解決するための手段】
請求項１記載の発明の排水路の吸気用分岐管継手は、単一の排水器具に連通される排水横枝管を接続する第１の接続口を水平方向に開口し、かつ排水縦管を接続する第２の接続口を下方向に開口するとともに、常時は閉塞し前記排水縦管内の負圧の発生により開口する吸気装置に連通した通気管を接続する第３の接続口を上方向に開口した分岐管継手体を備え、前記第３の接続口の口径は前記第１および第２の接続口の口径より小径とし、この第３の接続口は前記第２の接続口に対して斜め上方に向けて開口するとともに水平方向に回動自在としたものである。
【００１２】
そして、建造物の排水横枝管と排水縦管との配管取り回し空間に配置する分岐管継手体の第１の接続口に排水横枝管の一端を接続するとともに第２の接続口に排水縦管の一端を接続し、第３の接続口に吸気装置に接続する通気管の一端を接続することにより、排水路に吸気装置を接続でき、排水横枝管と排水縦管とを流れる急激な排水によって排水路に負圧が生じても、吸気装置が室内の空気を吸い込んで排水路の負圧が解消され、排水器具のトラップ封水の破壊が生じない。
【００１３】
また、第３の接続口の口径は小径で建造物の外壁面と内壁面との間の梁などで狭まっている空間でも小径の通気管を容易に配管でき、また、この第３の接続口を回動して通気管の接続しやすい方向に向けて通気管を接続でき、しかも、第３の接続口は第２の接続口に対して斜め上方に向けて開口されているので、配管方向の自由度が増し、効率良く施工できる。
【００１４】
請求項２記載の発明の排水路の吸気用分岐管継手は、請求項１記載の排水路の吸気用分岐管継手において、分岐管継手体は、側面および上下面に接続口を形成しこの側面に形成した接続口を第１の接続口とするとともに下面に形成した接続口を第２の接続口とした分岐管継手本体と、この分岐管継手本体の上面に形成した接続口に接続され第３の接続口を形成した通気管接続口形成体とにて構成したものである。
【００１５】
そして、第１の接続口と第２の接続口とを形成した分岐管継手本体に第３の接続口を形成した通気管接続口形成体を組み合わせることにより、排水横枝管と排水縦管および通気管を接続する分岐管継手体が構成でき、分岐管継手本体に一般の既存の分岐管継手を利用でき、製造コストを低減できる。
【００１６】
請求項３記載の発明の排水路の吸気用分岐管継手は、請求項１または２記載の排水路の吸気用分岐管継手において、第３の接続口は、第２の接続口に対して偏心位置に形成し、この第３の接続口には、吸気装置に接続される蛇腹管にて形成した通気管を気密に接続可能としたものである。
【００１７】
そして、通気管は蛇腹管のため、通気管に曲り管、直管など複数の管材を用いることなく、第３の接続口の口径は小径で建造物の外壁面と内壁面との間の梁などで狭まっている空間に配管方向の自由度を高められ、蛇腹管の通気管をなだらかに屈曲するように調整配管でき、梁、壁面の位置、吸気装置の位置に応じて容易に配管できる。
【００１８】
請求項４記載の発明の排水路の吸気用分岐管継手は、請求項１ないし３のいずれかの一つに記載の排水路の吸気用分岐管継手において、排水縦管を接続する第２の接続口の呼び径は７５ｍｍとし、第３の接続口の呼び径を４０ｍｍないし２０ｍｍとしたものである。
【００１９】
そして、蛇腹管の通気管の管径が小さく、建造物の外壁面と内壁面との間の梁などで狭まっている空間に梁、壁面の位置、吸気装置の位置などに合わせて容易に配管できる。
【００２０】
請求項５記載の発明の排水路の吸気装置は、第１の接続口を水平方向に開口し、かつ第２の接続口を下方向に開口するとともに、第３の接続口を上方向に開口した分岐管継手体を備え、前記第３の接続口の口径は前記第１および第２の接続口の口径より小径とし、この第３の接続口は前記第２の接続口に対して斜め上方に向けて開口するとともに水平方向に回動自在とし、前記第１の接続口に単一の排水器具に連通される排水横枝管を接続し、かつ第２の接続口に排水縦管を接続するとともに、第３の接続口に常時は閉塞し排水縦管内の負圧の発生により開口する吸気装置を蛇腹管にて形成した通気管にて気密に接続し、前記第３の接続口と前記吸気装置とを気密に接続する蛇腹管を建造物の壁内に配設したものである。
【００２１】
そして、建造物の排水横枝管と排水縦管との配管取り回し空間に配置する分岐管継手体の第１の接続口に排水横枝管の一端を接続するとともに第２の接続口に排水縦管の一端を接続し、第３の接続口に吸気装置に接続する蛇腹管の通気管の一端を接続することにより、排水路に吸気装置を接続でき、排水横枝管と排水縦管とを流れる急激な排水によって排水路に負圧が生じても、吸気装置が室内の空気を吸い込んで排水路の負圧が解消され、排水器具のトラップ封水の破壊が生じない。
【００２２】
また、第３の接続口の口径は小径で建造物の外壁面と内壁面との間の梁などで狭まっている空間に小径の通気管を配管でき、また、この第３の接続口を回動して通気管の接続しやすい方向に向けて通気管を接続でき、しかも、第３の接続口は第２の接続口に対して斜め上方に向けて開口されているので、配管方向の自由度が増し、効率良く施工できる。
【００２３】
さらに、建造物の内壁面を室内側に膨出させて外壁面と内壁面との間にパイプスペースまたはパイプシャフトといわれる配管空間または設備壁を形成する必要がなく、室内を狭めることなく、室内を有効に利用でき、美観を損なうこともない。
【００２４】
請求項６記載の発明の排水路の吸気装置は、請求項５記載の排水路の吸気装置において、建造物の壁内に吸気装置を内部に配設する筐体を設け、この筐体の一側面には前記壁の内壁面に形成した吸気開口から吸気する通気部を開口するとともに下部には通気管の蛇腹管を接続する通気口を形成し、前記吸気装置は、排水縦管内の負圧により開口して前記通気部と通気管を接続する通気口とを連通遮断させる吸気弁体を設けたものである。
【００２５】
そして、吸気装置を建造物の天井裏などに設置することがなく、壁内の筐体内に設けることができ、吸気装置の吸気時には内壁に形成した通気口から室内の空気を吸い込むことができ、通気管の配管を少なくして確実に排水路の負圧を解消できる。
【００２６】
【発明の実施の形態】
次に、本発明の排水路の吸気用分岐管継手および排水路の吸気装置管体の一実施の形態を図１および図２に基づいて説明する。
【００２７】
図１において、建造物２０、例えば、住宅内の階上部２１の洗面台、風呂場、トイレなどの単一の排水器具２２の排水口２３とこの建造物２０の敷地内に埋設された図示しない汚水桝などとに接続する排水路は、階上の床下部２４に配管される排水横枝管２５とこの排水横枝管２５に接続される排水縦管２６などにて構成される。
【００２８】
そして、この建造物２０の階下部２７の外壁面２８と内壁面２９との間にはパイプスペースなどの配管空間３０が形成されている。また、階上部２１の外壁面２８と内壁面３１との間にはパイプスペースまたは室内に膨出する設備壁などによる配管空間がなく、通常の壁面構造の狭い壁間空間３２が形成されている。この配管空間３０および壁間空間３２には梁３３などが設けられている。
【００２９】
また、前記建造物２０の配管空間３０の上部には、この配管空間３０に配管される排水縦管２６と排水横枝管２５との接続位置に分岐管継手体３４が設けられている。この分岐管継手体３４は、上下面に受け口の接続口を形成するとともに側面に受け口を有するＴ字型管継手にて形成された分岐管継手本体３５と通気管接続口形成体３６とにて形成される。
【００３０】
この分岐管継手本体３５の側面に水平方向に開口した接続口は排水器具２２に連通される排水横枝管２５を接続する第１の接続口３７とするとともに下面に形成した接続口は排水縦管２６を接続する第２の接続口３８とする。
【００３１】
また、図２に示すように、この分岐管継手本体３５の上面に形成した接続口４０に嵌合接続される通気管接続口形成体３６は下面に開口した嵌合接続口３９が形成され、この嵌合接続口３９は前記分岐管継手本体３５の受け口の接続口４０に嵌合固着される。この通気管接続口形成体３６の上面には前記第２の接続口３８に対して偏心した位置に接続口部４１が開口され、この接続口部４１には、第３の接続口４２を形成する接続口体４３が回動可能に取り付けられている。この第３の接続口４２を形成する接続口体４３は湾曲されて斜め上方に向けて開口されている。さらに、この接続口体４３には、弾性変形により前記通気管接続口形成体３６の接続口部４１に挿通される抜け止め爪部４３ａが形成されている。
【００３２】
この通気管接続口形成体３６の接続口部４１は内側に筒状に突出する筒状受け部４４を有し、この筒状受け部４４の内端部には環状の突縁４５が形成され、この筒状受け部４４に嵌挿した接続口体４３の外周面に形成されている係合突縁４６が前記接続口部４１に回動可能に係合される。また、この接続口体４３の外周に形成した環状溝４７に嵌着されたОリング４８が前記筒状受け部４４の内周面に気密に接触されている。
【００３３】
また、前記接続口体４３の先端部は蛇腹管にて形成される通気管４９を接続可能とする第３の接続口４２が拡径形成されている。
【００３４】
このように、前記第３の接続口４２の口径は前記第１および第２の接続口３７，３８の口径より小径とし、排水縦管２６を接続する第２の接続口３８の呼び径は７５ｍｍとし、第３の接続口４２の呼び径は４０ｍｍないし２０ｍｍとなっている。
【００３５】
次に、前記第３の接続口４２に接続した蛇腹管の通気管４９を接続する吸気装置５１は、図３ないし図５に示すように、建造物２０の階上部２１の壁間空間３２内に配設されている。
【００３６】
この吸気装置５１は、階上部２１の外壁面２８と内壁面３１との間の壁間空間３２内に配設固定した筐体５２内に収容されている。この筐体５２の一側面には前記内壁面３１に形成した吸気開口５３から室内の空気を吸い込む通気部５４が開口されている。また、この筐体５２の下部には前記通気管４９を気密に接続する通気口５５が形成され、この通気口５５に挿通した通気管４９は、この通気管４９を形成する蛇腹管の外周に装着したОリング５６にて気密に通気口５５に接続される。
【００３７】
前記吸気装置５１は吸気弁にて構成され、この吸気装置５１は吸気弁本体５７の下面に通気開口５８が形成され、この吸気弁本体５７には前記通気開口５８に連通する通気路５９が環状に形成され、この通気路５９の内側に上面に開口した筒状の壁部６０にて吸気室６１が形成され、この吸気室６１を形成した前記壁部６０の上面開口縁にて弁座縁６２が形成され、さらに、前記吸気室６１は図５に示すように、前記筐体５２の通気部５４に連通する吸気路６３が形成されている。また、この吸気室６１の中心部に弁軸６４を上下移動可能に支持する軸受け孔６５が形成されている。
【００３８】
そして、この軸受け孔６５に上下移動可能に支持した前記弁軸６４には、前記弁座縁６２に接離する吸気弁体６６が設けられ、この吸気弁体６６は前記通気路５９側が負圧になると、弁座縁６２から離反して、通気路５９と吸気室６１とを連通させる。
【００３９】
また、前記内壁面３１の吸気開口５３に位置してこの内壁面３１に通気スリット６７を形成したカバー６８が設けられている。
【００４０】
次に、この実施の形態の吸気用分岐管継手を用いた排水路の吸気装置の作用を説明する。
【００４１】
建造物２０の階上部２１に設置されている排水器具２２の排水口２３に、階上部２１の床下部２４に配管した排水横枝管２５を直管７１、曲り管継手７２を介して接続する。また、建造物２０の階下部２７の外壁面２８と内壁面２９との間に形成されている配管空間３０に下水管に連通される排水縦管２６を配管する。
【００４２】
そして、配管空間３０の上部の排水横枝管２５と排水縦管２６とが交差する位置に分岐管継手体３４を配設し、この分岐管継手体３４の第１の接続口３７に排水横枝管２５の下流端部を接続するとともに第２の接続口３８に排水縦管２６の上流端部を接続する。また、分岐管継手体３４の第３の接続口４２に通気管４９の一端部を接続し、この通気管４９の他端部を吸気装置５１に接続する。
【００４３】
また、建造物２０の階上部２１の外壁面２８と内壁面３１との間の壁間空間３２内に吸気装置５１を内部に収容した筐体５２を配設し、この筐体５２の通気部５４を内壁面３１に形成した吸気開口５３に対向させる。また、この筐体５２の通気口５５に蛇腹管の通気管４９の他端を接続する。
【００４４】
この状態で、筐体５２の通気口５５に接続した通気管４９は、吸気弁本体５７の通気開口５８から通気路５９に連通し、また、筐体５２の通気部５４に吸気弁本体５７の吸気路６３から吸気室６１が連通され、通気路５９と吸気室６１とが吸気弁体６６にて遮断されている。
【００４５】
なお、蛇腹管の通気管４９を分岐管継手体３４の第３の接続口４２に接続するとき、分岐管継手本体３５の通気管接続口形成体３６に回動可能に設けた接続口体４３を回動させて、この接続口体４３の第３の接続口４２を通気管４９の接続し易い方向に向けることにより、通気管４９を容易に接続でき、しかも、第３の接続口４２は第２の接続口３８に対して斜め上方に向けて開口されているので、配管方向の自由度が増し、効率良く施工できる。
【００４６】
また、通気管４９は蛇腹管のため、通気管４９に曲り管、直管など複数の管材を用いることなく、第３の接続口４２の口径は小径で建造物の外壁面２８と内壁面３１との間の梁３３などで狭まっている空間に配管方向の自由度を高められ、蛇腹管の通気管４９をなだらかに屈曲するように調整配管でき、梁、壁面の位置、吸気装置の位置に応じて容易に配管できる。
【００４７】
そして、第１の接続口３７と第２の接続口３８とを形成した分岐管継手本体３５の接続口４０に第３の接続口４２を形成した通気管接続口形成体３６の嵌合接続口３９を嵌合して組み合わせることにより、排水横枝管２５と排水縦管２６および通気管４９を接続する分岐管継手体３４が構成でき、分岐管継手本体３５には、一般の既存の分岐管継手を利用でき、製造コストを低減できる。
【００４８】
また、第３の接続口４２の口径は第１および第２の接続口３７，３８に比して小径であり、建造物２０の外壁面２８と内壁面３１との間の梁３３などで狭まっている空間にも小径の通気管４９は容易に配管でき、特に、排水縦管２６を接続する第２の接続口３８の呼び径は７５ｍｍとし、第３の接続口の呼び径を４０ｍｍないし２０ｍｍとしたため、蛇腹管の通気管４９の管径が小さく、建造物２０の外壁面２８と内壁面３１との間の梁３３などで狭まっている壁間空間３２に梁、壁面の位置、吸気装置の位置などに合わせて容易に配管できる。
【００４９】
さらに、建造物２０の内壁面３１を室内側に膨出させて外壁面２８と内壁面３１との間にパイプスペースまたはパイプシャフトといわれる配管空間または設備壁を形成する必要がなく、室内を狭めることなく、室内を有効に利用でき、美観を損なうこともない。
【００５０】
そして、階上部２１の排水器具２２からの排水は、排水口２３から、直管７１、曲り管継手７２を経て排水横枝管２５を流動し、分岐管継手体３４の第１の接続口３７から第２の接続口３８に接続した排水縦管２６から下水管に排水される。
【００５１】
また、排水器具２２からの急激な排水により、排水横枝管２５から排水縦管２６に流れる排水で排水横枝管２５から排水縦管２６の排水路に負圧が生じると、通気管４９内にも負圧が生じ、吸気装置５１の吸気弁本体５７の通気路５９も負圧状態となり、この負圧で吸気弁体６６が吸引され、吸気弁体６６が弁座縁６２から離反し、通気路５９と吸気室６１とが連通される。
【００５２】
この吸気弁本体５７の通気路５９と吸気室６１とが連通すると、吸気室６１は、吸気弁本体５７の吸気路６３から筐体５２の通気部５４、内壁面３１の吸気開口５３、カバー６８の通気スリット６７から大気中に連通され、通気管４９、排水縦管２６および排水横枝管２５の排水路に室内の空気が吸込まれ、排水路の負圧が解消され、排水器具２２のトラップの封水破壊を防止する。
【００５３】
また、吸気装置５１を建造物２０の天井裏などに設置することなく、壁間空間３２内の筐体５２内に設けることができ、吸気装置５１の吸気時には内壁面３１に形成した通気部から吸気することができ、通気管４９の配管を少なくして確実に排水の負圧を解消できるとともに吸気装置５１の保守管理も容易にできる。
【００５４】
また、前記実施の形態では、外壁面２８と内壁面３１との間の壁間空間３２に吸気装置５１の筐体５２を設けたが、間仕切り壁内に吸気装置５１の筐体５２を設けることもできる。
【００５５】
【発明の効果】
請求項１記載の発明によれば、建造物の排水横枝管と排水縦管とを接続する分岐管継手体にて排水路に吸気装置に接続した通気管を容易に接続でき、急激な排水によって排水路に負圧が生じても、吸気装置が室内の空気を吸い込んで排水路の負圧が解消され、排水器具のトラップの封水破壊を防止できる。また、分岐管継手体の通気管を接続する第３の接続口の口径は小径で建造物の外壁面と内壁面との間の梁などで狭まっている空間に小径の通気管を配管でき、また、この第３の接続口を回動して通気管の接続し易い方向に向けて通気管を接続でき、しかも、第３の接続口は排水縦管を接続する第２の接続口に対して斜め上方に向けて開口されているので、配管方向の自由度が増し、効率良く施工できる。
【００５６】
請求項２記載の発明によれば、第１の接続口と第２の接続口とを形成した分岐管継手本体に第３の接続口を形成した通気管接続口形成体を組み合わせることにより、排水横枝管と排水縦管水縦管および通気管を接続する分岐管継手体が構成でき、分岐管継手本体に一般の既存の分岐管継手を利用でき、製造コストを低減できる。
【００５７】
請求項３記載の発明によれば、通気管は蛇腹管のため、通気管に曲り管、直管など複数の管材を用いることなく、第３の接続口の口径は小径で建造物の外壁面と内壁面との間の梁などで狭まっている空間に配管方向の自由度を高められ、蛇腹管の通気管をなだらかに屈曲するように調整配管でき、梁、壁面の位置、吸気装置の位置に応じて容易に配管できる。
【００５８】
請求項４記載の発明によれば、蛇腹管の通気管の管径が小さく、建造物の外壁面と内壁面との間の梁などで狭まっている空間に梁、壁面の位置、吸気装置の位置などに合わせて容易に配管できる。
【００５９】
請求項５記載の発明によれば、分岐管継手体により、排水横枝管と排水縦管とを接続した排水路に吸気装置を容易に接続でき、排水路を流れる急激な排水によって排水路に負圧が生じても、吸気装置が室内の空気を吸込んで排水路の負圧が解消され、排水器具のトラップ封水の破壊が生じない。また、分岐管継手体の通気管を接続する第３の接続口の口径は小径のため、建造物の外壁面と内壁面との間の梁などで狭まっている空間に小径の通気管を配管でき、また、この第３の接続口を回動しして通気管の接続し易い方向に向けて通気管を接続でき、しかも、第３の接続口は第２の接続口に対して斜め上方に向けて開口されているので、配管方向の自由度が増し、効率良く施工できる。
【００６０】
さらに、建造物の内壁面を室内側に膨出させて外壁面と内壁面との間にパイプスペースまたはパイプシャフトといわれる配管空間または設備壁を形成する必要がなく、室内を狭めることなく、室内を有効に利用でき、美観を損なうこともない。
【００６１】
請求項６記載の発明によれば、吸気装置を建造物の天井裏などに設置することがなく、壁内の筐体内に設けることができ、吸気装置の吸気時には内壁面に形成した通気口から吸気することができ、通気管の配管を少なくして確実に排水の負圧を解消できる。
【図面の簡単な説明】
【図１】本発明の一実施の形態を示す排水路の吸気装置の縦断正面図である。
【図２】同上吸気用分岐管継手の通気管接続口形成体の縦断正面図である。
【図３】同上吸気装置の縦断側面図である。
【図４】同上吸気装置の正面図である。
【図５】同上吸気装置の吸気弁本体の横断平面図である。
【図６】従来の排水路の吸気装置の縦断正面図である。
【図７】従来の他の排水路の吸気装置の縦断正面図である。
【図８】従来のさらに他の排水路の吸気装置の縦断正面図である。
【符号の説明】
２０    建造物
２２    排水器具
２５    排水横枝管
２６    排水縦管
２８    外壁面
３１    内壁面
３４    分岐管継手体
３５    分岐管継手本体
３６    通気管接続口形成体
３７    第１の接続口
３８    第２の接続口
４２    第３の接続口
４９    通気管
５１    吸気装置
５２    筐体
５３    吸気開口
５４    通気部
５５    通気口
５８    通気開口
６６    吸気弁体
【図１】
2004324239.tif 000003
【図２】
2004324239.tif 000004
【図３】
2004324239.tif 000005
【図４】
2004324239.tif 000006
【図５】
2004324239.tif 000007
【図６】
2004324239.tif 000008
【図７】
2004324239.tif 000009
【図８】
2004324239.tif 000010